(57)【特許請求の範囲】
【請求項１】
弾性物質からなり、互いに平行な底板部と天板部との間に逆Ｕ字形部を介在させた形状を有する台座と上記天板部に立設した支持捧とを備えた置床構造の脚柱において、上記底板部の下面の周縁部のみに複数の突部を設けたことを特徴とする置床構造の脚柱。
【発明の詳細な説明】
【０００１】
【発明の属する技術分野】
本発明は、例えば、アパートやマンションのような集合住宅、体育館に適用される置床構造の脚柱に関するものである。
【０００２】
【従来の技術】
従来、図８に示すように、コンクリート等からなる床スラブ１１の上に脚柱１２を介して置床パネル１３を配置し、その上に制振性、遮音性に優れた防音材や捨て貼り合板等の下地材１４、さらにその上にフローリングやカーペット等の仕上げ材１５を配置した二重床式の置床構造が公知である。このような置床構造は床衝撃音を低減させるために設けられている。そして脚柱１２は、中央部を横方向に貫く空洞部１６とし、断面略台形に形成した防振、防音を目的とするゴム製の台座１７の上面に支持ボルト１８を立設して形成したものである（特開平4-50532号公報）。
【０００３】
【発明が解決しようとする課題】
上記床衝撃音を低減させるためには、軽量床衝撃音と重量床衝撃音の二種類について同時に衝撃音レベルを下げる必要がある。上述した脚柱１２の場合、仕上げ材１５と置床パネル１３の間に下地材１４を挟み込んで脚柱１２を設置すると、仕上げ材１５からの衝撃エネルギーを受けると、台座１７の両側部の弾性変形により吸収し、衝撃を緩和して床スラブ１１に伝達するため、例えば人が飛び跳ねたときに生じる重量床衝撃音のレベルはかなり下げることができるが、例えば床面に物を落とした時、人の歩行時に生じる軽量床衝撃音については、上記脚柱１２は余り有効に作用しなかった。また、仕上げ材１５と置き床パネル１３との間に防音材からなる下地材１４を挟み込んで脚柱１２を設置すると、この下地材１４が仕上げ材１５からの衝撃エネルギーをある程度吸収するので、遮音性能は向上するが、表１に示す日本建築学会で定められている集合住宅やホテル等についての床衝撃音レベルに関する適用等級では、重量床衝撃音、軽量床衝撃音共に２級程度であった。即ち、表２に示すように遮音性能上の支障が生じることもあるが、ほぼ満足し得る等級ということで、重量床衝撃音、軽量床衝撃音の遮音という面で上記脚柱１２は必ずしも十分とは言えないという問題があった。
【０００４】
【表１】
0003865954.tif 000002
【表２】
0003865954.tif 000003
本発明は、斯る従来の問題をなくすことを課題としてなされたもので、遮音特性の向上を可能とした置床構造の脚柱を提供しようとするものである。
【０００５】
【課題を解決するための手段】
上記課題を解決するために、本願発明にかかる置床構造の脚柱は、弾性物質からなり、互いに平行な底板部と天板部との間に逆Ｕ字形部を介在させた形状を有する台座と上記天板部に立設した支持捧とを備えた置床構造の脚柱において、上記底板部の下面の周縁部のみに複数の突部を設けた構成としてある。
【０００６】
【発明の実施の形態】
次に、本発明の一実施形態を図面にしたがって説明する。
図１〜３は、第一発明に係る脚柱１Ａを適用した置床構造を示し、図に示す置床構造とは脚柱１２に代えて脚柱１Ａを適用した点を除き、他は実質的に同一であり、互いに対応する部分については同一番号を付して説明を省略する。
この脚柱１Ａは、弾性物質からなり、互いに平行な底板部２と天板部３との間に逆Ｕ字形部４を介在させた形状を有する台座５と天板部２に立設した支持捧６とを備えている。底板部２の下面の四箇所に突部７が設けてあり、底板部２は床スラブ１１から離れている。
【０００７】
支持捧６にはねじ山が形成してあり、支持捧６の上端部に鍔付きナット部材８を螺合させ、このナット部材８の鍔部により高さ調節可能に受け板９を支持させてある。そして、この受け板９により置床パネル１３を支持している。
このように、底板部２の下面に複数の突部７を設けて、底板部２を床スラブ１１から離し、脚柱１Ａと床スラブ１１との接触面積を小さくなるようになっており、後述するようにこの脚柱１Ａにより床衝撃により生じる騒音は抑制される。
【０００８】
図４，５は、第二発明に係る脚柱１Ｂを適用した床構造示し、図１〜３に示すものとは、脚柱１Ａに代えて脚柱１Ｂを適用した点を除き、他実質的に同一であり、互いに対応する部分については同一番号を付して説明を省略する。
この脚柱１Ｂは、底板部２の下面の周縁部に突部７を設けたもので、好ましくは図示するように上記下面の四隅に設けるのがよい。
このように、底板部２の下面の周縁部に突部７を設けることにより、後述するように脚注１Ａよりも一層騒音を低減するようになる。
【０００９】
なお、上記弾性物質としては、天然ゴムの他に、ブタジエンゴム、ブチルゴム、イソプレンゴム、ウレタンゴム、ハイパロン、アクリルゴム、フッ素ゴム等の合成ゴムがある。好ましくは、この弾性物質は約１２kgf/cm2の横弾性係数を有するのがよい。
また、突部７の形状は、円筒形、逆円錐台形状、断面四角形、断面多角形等のいずれでもよく、特に限定するものではないが、好ましくは球面形状を有するのがよい。
さらに、突部７の数も四個に限定するものではない。
【００１０】
次に、図１に示す置床構造について行った衝撃音レベルのテスト結果について説明する。
テストはJIS A 1418に規定する“建築物の現場における床衝撃音レベルの測定方法”に則り、タッピングマシンによる軽量床衝撃音テストとバングマシンによる重量床衝撃音テストを行った。台座はゴム製とし、その硬度（JIS A）は８０度で、横弾性係数は１２kgf/cm2である。
置床パネル１３には、約２０mm厚のパーチクルボードを、下地材１４には、１２mm厚の無機物配合アスファルトを、仕上げ材１５には、１２mm厚のフローリング材を使用し、床スラブ１１の厚さは１５０mmとした。
【００１１】
脚柱１Ａを適用した置床構造の場合、表３に示すように、重量床衝撃音でＬ−５３、軽量床衝撃音でＬ−４６であり、日本建築学会による床衝撃音レベルの遮音等級によると、集合住宅やホテルにおいて重量床衝撃音で２級、軽量床衝撃音で１級のレベルであり、上述した従来の置床構造に比して軽量床衝撃音で遮音等級が１ランク向上したことになる。
また、脚柱１Ｂを適用した置床構造の場合、表３に示すように、重量床衝撃音でＬ−５０、軽量床衝撃音でＬ−４３であり、日本建築学会による床衝撃音レベルの遮音等級によると、集合住宅やホテルにおいて重量床衝撃音で１級、軽量床衝撃音で１級のレベルであり、上述した従来の置床構造に比して軽量床衝撃音と同様に重量床衝撃音についても遮音等級が１ランク向上したことになる。
【００１２】
【表３】
0003865954.tif 000004
表３中、Iは従来の脚柱１２、IIは従来の脚柱１２と防音材からなる下地材１４、IIIは脚柱１Ａと防音材からなる下地材１４、IVは脚柱１Ｂと防音材からなる下地材１４のそれぞれを適用した置床構造の遮音特性を表している。また、ＬLは軽量床衝撃音、ＬHは重量床衝撃音に関するものであることを表している。
また、図６は上述したテスト結果を示したものである。
さらに、図７は脚柱１Ａ、脚柱１Ｂの反力曲線を示したもので、脚柱１Ａの反力曲線は初期に略くの字形に曲がっており、安定したばね定数が得られていない。
【００１３】
このことは、上述したように底板部２を床スラブ１１から離し、脚柱１Ａ，１Ｂと床スラブ１１との接触面積を少なくしたのに加えて、衝撃エネルギーが逆Ｕ字形部４の変形に伴う弾性ネルギーとして吸収されることが大きく作用していると考えられる。勿論、底板部２の変形に伴って衝撃エネルギーの一部が吸収されるが、逆Ｕ字形部４の影響が大きいと考えられ、脚柱１Ｂでは逆Ｕ字形部４の曲がりが大きく、底板部２の曲がりが小さいのに対して、脚柱１Ａでは逆Ｕ字形部４の曲がりが小さく、底板部２の曲がりが大きいと考えられる。このため、脚柱１Ａよりも脚柱１Ｂの方が、全体的に遮音特性は良好となっている。
【００１４】
【発明の効果】
以上の説明より明らかなように、本願発明によれば、弾性物質からなり、互いに平行な底板部と天板部との間に逆Ｕ字形部を介在させた形状を有する台座と上記天板部に立設した支持捧とを備えた置床構造の脚柱において、上記底板部の下面の周縁部のみに複数の突部を設けた構成としてある。
このため、底板部が床スラブから離れ、脚柱と床スラブとの接触面積が少なくなり、置床構造の遮音性、特に軽量床衝撃音に対する遮音特性を向上させることが可能になる。
【００１５】
特に、底板部の下面の周縁部のみに複数の突部を設けた構成としてある。
このため、軽量床衝撃音に対する遮音特性だけでなく、重量床衝撃音に対する遮音特性も同様に改善されるという効果を奏する。
【図面の簡単な説明】
【図１】  第一発明に係る脚柱を適用した床構造を示す一部破断斜視図である。
【図２】  図１に示す床構造の部分断面図である。
【図３】  図１に示す脚柱の底面図である。
【図４】  第二発明に係る脚柱を適用した床構造の部分断面図である。
【図５】  図４に示す脚柱の底面図である。
【図６】  床衝撃音レベルの測定結果を示す図である。
【図７】  本発明に係る脚柱の反力曲線を示す図である。
【図８】  従来の脚柱を適用した床構造を示す一部破断斜視図である。
【符号の説明】
１Ａ，１Ｂ  脚柱                      ２  底板部
３  天板部                            ４  逆Ｕ字形部
４  台座                              ５  支持捧
７  突部
【図１】
0003865954.tif 000005
【図２】
0003865954.tif 000006
【図３】
0003865954.tif 000007
【図４】
0003865954.tif 000008
【図５】
0003865954.tif 000009
【図６】
0003865954.tif 000010
【図７】
0003865954.tif 000011
【図８】
0003865954.tif 000012